(57)【要約】【課題】折れ曲がりによって流路に詰まりが発生した場合であっても、流体を生体内に円滑に注入することが可能な注入針、注入針ユニット、及び流体注入装置を提供する。【解決手段】本発明は、生体内に留置されて生体内に流体を注入する注入針２であって、生体に挿抜される刺針３を案内すると共に、刺針３の抜去後に流体の流路となる第１流路２１と、第１流路２１に沿って第１流路２１と連通している第２流路２２とを備えた注入針２である。【選択図】図３
2016198414.tif 000002
【特許請求の範囲】
【請求項１】
生体内に留置されて前記生体内に流体を注入する注入針であって、
前記生体に挿抜される刺針を案内すると共に、前記刺針の抜去後に前記流体の流路となる第１流路と、
前記第１流路に沿って前記第１流路と連通している第２流路と
を備えた
ことを特徴とする注入針。
【請求項２】
請求項１に記載の注入針であって、
前記第２流路は、スリットを有している
ことを特徴とする注入針。
【請求項３】
請求項１又は２に記載の注入針であって、
前記第２流路は、前記第１流路よりも流路幅が小さい補助流路をさらに有している
ことを特徴とする注入針。
【請求項４】
請求項１〜３のいずれかに記載の注入針であって、
前記第２流路は、前記第１流路の延伸方向に対して交差する交差線の両側に配置されている
ことを特徴とする注入針。
【請求項５】
請求項１〜４のいずれかに記載の注入針であって、
先端に向かうに連れて外径寸法が小さくなっている先細り部を有している
ことを特徴とする注入針。
【請求項６】
請求項５に記載の注入針であって、
前記先細り部において、先端に向かうに連れて前記第２流路の流路幅が小さくなっている
ことを特徴とする注入針。
【請求項７】
請求項５に記載の注入針であって、
前記先細り部は、前記第２流路を有していない
ことを特徴とする注入針。
【請求項８】
生体内に留置されて前記生体内に流体を注入する注入針と、
前記生体に挿抜される刺針と
を備え、
前記注入針は、前記刺針を案内すると共に、前記刺針の抜去後に前記流体の流路となる第１流路と、
前記第１流路に沿って連通している第２流路と
を有する
ことを特徴とする注入針ユニット。
【請求項９】
請求項８に記載の注入針ユニットであって、
前記刺針は、中実である
ことを特徴とする注入針ユニット。
【請求項１０】
生体内に留置されて前記生体内に流体を注入する注入針、及び前記生体に挿抜される刺針を有する注入針ユニットと、
前記注入針に前記流体を送るポンプと
を備え、
前記注入針は、前記刺針を案内すると共に、前記刺針の抜去後に前記流体の流路となる第１流路と、
前記第１流路に沿って連通している第２流路と
を有する
ことを特徴とする流体注入装置。
【発明の詳細な説明】
【技術分野】
【０００１】
本発明は、注入針、注入針ユニット、及び流体注入装置に関する。
【背景技術】
【０００２】
従来、流体注入装置として、送液ポンプ、液体供給器、及び液体注入器を備えたものが特許文献１に開示されている。
【０００３】
特許文献１に記載のものは、液体注入器を生体に取り付け、当該液体注入器の注入針（注入管）を生体内に留置させて使用する。送液ポンプにより液体供給器を介して液体注入器に送られた液体（例えばインスリン製剤）は、注入針に形成された流路を通って生体内に持続的に注入される。
【０００４】
また、インスリン製剤の持続注入療法においては、いわゆるヒト型インスリンの中性水溶液製剤が用いられ、当該インスリン溶液が疎水性の表面と接触した状態で撹拌されると変性して凝集塊を生じる旨が特許文献２の段落０００５に記載されている。
【先行技術文献】
【特許文献】
【０００５】
【特許文献１】特開２０１３−２５２２８６号公報
【特許文献２】特開２００３−２２０１２９号公報
【発明の概要】
【発明が解決しようとする課題】
【０００６】
注入針は、前述の通り生体内に留置された状態で使用されるため、例えば皮下脂肪と当該皮下脂肪よりも硬い真皮との境目を契機に折れ曲がることによって、流路幅（流路の断面積）が小さくなり流路が詰まる可能性がある。そして、注入針の折れ曲がった箇所において凝集塊が生じた場合には、流路がさらに詰まるおそれがあり、薬液等の流体を生体内に円滑に注入することが困難となる。
【０００７】
そこで、本発明は、折れ曲がり等によって流路に詰まりが発生した場合であっても、流体を生体内に円滑に注入することが可能な注入針、注入針ユニット、及び流体注入装置を提供することを目的とする。
【課題を解決するための手段】
【０００８】
上記目的を達成するための主たる発明は、生体内に留置されて前記生体内に流体を注入する注入針であって、前記生体に挿抜される刺針を案内すると共に、前記刺針の抜去後に前記流体の流路となる第１流路と、前記第１流路に沿って前記第１流路と連通している第２流路とを備えたことを特徴とする注入針である。
【０００９】
本発明の他の特徴については、本明細書及び添付図面の記載により明らかにする。
【図面の簡単な説明】
【００１０】
【図１】本発明の第１実施形態に係る流体注入装置の一構成例を示し、図１Ａは斜視図、図１Ｂは分解斜視図である。
【図２】注入針ユニットの断面説明図であり、図２Ａは注入針ユニットを生体に装着する前の状態を示し、図２Ｂは注入針ユニットが生体に装着された状態を示している。
【図３】図３Ａは図２のIIIＡ矢視図、図３Ｂは図３ＡのIIIＢ−IIIＢ線断面図である。
【図４】注入針の一構成例を示す斜視図である。
【図５】図５Ａは図４のVＡ−VＡ線断面図、図５Ｂは図４のVＢ矢視図、図５Ｃは図４のVＣ−VＣ線断面図である。
【図６】生体内において注入針が折れ曲がった時の状態を示す説明図である。
【図７】変形例に係る注入針の延伸方向断面図である。
【図８】本発明の第２実施形態に係る注入針の構成例を示し、図８Ａは斜視図、図８Ｂは図８ＡのVIIIＢ矢視図である。
【図９】本発明の第３実施形態に係る注入針の構成例を示し、図９Ａは斜視図、図９Ｂは図９ＡのIXＢ矢視図である。
【図１０】図１０Ａは本発明の第４実施形態に係る注入針ユニットの先端側拡大図、図１０Ｂは図１０ＡのXＢ−XＢ線断面図である。
【発明を実施するための形態】
【００１１】
本明細書及び添付図面の記載により、少なくとも、以下の事項が明らかとなる。
【００１２】
生体内に留置されて前記生体内に流体を注入する注入針であって、前記生体に挿抜される刺針を案内すると共に、前記刺針の抜去後に前記流体の流路となる第１流路と、前記第１流路に沿って前記第１流路と連通している第２流路とを備えた注入針が明らかとなる。これにより、前記生体内において前記注入針が折れ曲がり前記第１流路に詰まりが発生した場合でも、前記流体を前記生体内に円滑に注入することが可能となる。
【００１３】
かかる注入針であって、前記第２流路は、スリットを有していることが望ましい。これにより、前記第１流路に詰まりが発生した場合でも、前記第１流路内を流れていた前記流体は前記スリットへ流れ込むことができる。また、前記刺針を安定して保持することができる。
【００１４】
かかる注入針であって、前記第２流路は、前記第１流路よりも流路幅が小さい補助流路をさらに有していることが望ましい。これにより、前記第１流路に詰まりが発生した場合でも、前記第１流路内を流れていた前記流体は前記補助流路へ流れ込むことができる。
【００１５】
かかる注入針であって、前記第２流路は、前記第１流路の延伸方向に対して交差する交差線の両側に配置されていることが望ましい。これにより、前記生体内において前記注入針が折れ曲がり前記交差線の一側に配置された前記第２流路が詰まった場合でも、前記流体を前記生体内に円滑に注入することが可能である。
【００１６】
かかる注入針であって、先端に向かうに連れて外径寸法が小さくなっている先細り部を有していることが望ましい。これにより、前記注入針を前記生体に穿刺する際に痛みを軽減することができる。
【００１７】
かかる注入針であって、前記先細り部において、先端に向かうに連れて前記第２流路の流路幅が小さくなっていることが望ましい。これにより、前記注入針を前記生体に穿刺する際に先端がめくれてしまうという問題を抑制することができる。
【００１８】
かかる注入針であって、前記先細り部は、前記第２流路を有していないことが望ましい。これにより、前記注入針を前記生体に穿刺する際に先端がめくれてしまうという問題をより抑制することができる。
【００１９】
また、生体内に留置されて前記生体内に流体を注入する注入針と、前記生体に挿抜される刺針とを備え、前記注入針は、前記刺針を案内すると共に、前記刺針の抜去後に前記流体の流路となる第１流路と、前記第１流路に沿って連通している第２流路とを有する注入針ユニットが明らかとなる。これにより、前記生体内において前記注入針が折れ曲がり前記第１流路に詰まりが発生した場合でも、前記流体を前記生体内に円滑に注入することが可能となる。
【００２０】
かかる注入針ユニットであって、前記刺針は、中実であることが望ましい。これにより、前記刺針を前記生体に挿抜する際に、中空の刺針と比べて痛みを軽減することができる。
【００２１】
また、生体内に留置されて前記生体内に流体を注入する注入針、及び前記生体に挿抜される刺針を有する注入針ユニットと、前記注入針に前記流体を送るポンプとを備え、前記注入針は、前記刺針を案内すると共に、前記刺針の抜去後に前記流体の流路となる第１流路と、前記第１流路に沿って連通している第２流路とを有する流体注入装置が明らかとなる。これにより、前記生体内において前記注入針が折れ曲がり前記第１流路に詰まりが発生した場合でも、前記流体を前記生体内に円滑に注入することが可能となる。
【００２２】
＝＝＝第１実施形態＝＝＝
＜流体注入装置１の概要＞
本発明の第１実施形態に係る流体注入装置１は、例えば生体内にインスリン等の薬液（流体）を定期注入する際に用いられる。
【００２３】
（流体注入装置１の構成）
流体注入装置１の構成について、図１Ａ及び図１Ｂを参照して説明する。
【００２４】
図１Ａ及び図１Ｂは、本発明の第１実施形態に係る流体注入装置１の一構成例を示し、図１Ａは斜視図、図１Ｂは分解斜視図である。
【００２５】
流体注入装置１は、注入針２及び刺針３を有する注入針ユニット１１と、注入針２に流体を注入するポンプ１２とを備えている。注入針ユニット１１とポンプ１２とは、図１Ｂに示すように分離可能であるが、使用時には図１Ａに示すように一体に組み立てられる。なお、流体注入装置１において、注入針ユニット１１とポンプ１２とは必ずしも別体である必要はなく、注入針ユニット１１とポンプ１２とが一体となった流体注入装置１であってもよい。
【００２６】
図１Ｂに示すように、注入針ユニット１１は、注入針２及び刺針３の他に、注入針ユニット１１を生体に取り付けるためのシール１１１と、ポンプ１２を取り付けるための台座１１２とを有している。
【００２７】
注入針２は、生体内に留置されて生体内に流体を注入するための針であり、例えばフッ素樹脂等で成形加工されている。なお、注入針２の材質は、必ずしもフッ素樹脂等である必要はなく、生体内で留置された状態において違和感が生じない程度の柔らかいものであればよい。注入針２は、延伸方向の一端が台座１１２に固定されている。
【００２８】
刺針３は、生体に挿抜される針であり、例えば金属やプラスチック等で成形加工されている。なお、刺針３の材質は、必ずしも金属やプラスチック等である必要はなく、生体に穿刺可能な硬さを有するものであればよい。刺針３は、少なくとも一部が生体内に挿入される針部３１、及び刺針３を生体から引き抜くためのつまみ部３２を有している。
【００２９】
シール１１１は、例えば生体に対向する面が粘着面になっており、生体に直接貼り付けることが可能である。ポンプ１２は、流体を貯留するための貯留空間（図略）を内部に有している。
【００３０】
（流体注入装置１の使用態様）
次に、流体注入装置１の使用態様について、図２Ａ及び図２Ｂならびに図３Ａ及び図３Ｂを参照して説明する。
【００３１】
図２Ａ及び図２Ｂは、注入針ユニット１１の断面説明図であり、図２Ａは注入針ユニット１１を生体に装着する前の状態を示し、図２Ｂは注入針ユニット１１が生体に装着された状態を示している。図３Ａは図２のIIIＡ矢視図、図３Ｂは図３ＡのIIIＢ−IIIＢ線断面図である。
【００３２】
図２Ａに示すように、注入針ユニット１１が生体に装着される前においては、刺針３は、注入針２、シール１１１、及び台座１１２を貫通しており、針部３１の先端側（つまみ部３２とは反対側）が注入針２から露出している。本実施形態では、図３Ａに示すように、針部３１の内部には、流体が通る孔３１０が延伸方向に沿って形成されている。つまり、図３Ｂに示すように、刺針３は中空の針である。なお、これに限らず、刺針３は中実の針であってもよく、この場合については後述する第４実施形態で説明することとする。
【００３３】
図２Ａ及び図２Ｂに示すように、台座１１２内には、ポンプ１２から送られてきた流体を溜めるための液溜まり部１１２ｂが形成されていると共に、例えばゴムやシリコン等で成形されたセプタム１１２ａが設けられている。また、刺針３の針部３１は、液溜まり部１１２ｂの領域に横孔（図略）を有している。
【００３４】
注入針ユニット１１を生体に取り付ける際、使用者は、刺針３と共に注入針２を生体に穿刺する。ここで、刺針３が注入針２を貫通した状態において、液溜まり部１１２ｂ内に溜められた流体は針部３１の横孔を介して孔３１０に流入し、当該孔３１０を通って生体を穿刺する針部３１の先端から当該生体内に出てくることになる（図３Ａ参照）。これにより、ポンプ１２の異常や注入針２及び刺針３を含んだ注入針ユニット１１内の流路における使用開始前の詰まりがないことを使用者は確認することができる。また、注入針２を生体に穿刺した後に流体を迅速に注入することができる。
【００３５】
その後、図２Ｂに示すように、使用者は、刺針３のつまみ部３２をつまんで生体内及び注入針ユニット１１内から針部３１を矢印の方向に引き抜く（抜去）。これにより、注入針２だけが生体内に留置される。なお、セプタム１１２ａでは、刺針３を引き抜くと刺針３によって形成された穴が塞がるため、液溜まり部１１２ｂ内の流体が当該穴を介して漏れ出してしまうことを抑制することができる。
【００３６】
＜注入針２の構成＞
次に、注入針２の構成について、図４及び図５Ａ〜Ｃを参照して説明する。
【００３７】
図４は、注入針２の一構成例を示す斜視図である。図５Ａは図４のVＡ−VＡ線断面図、図５Ｂは図４のVＢ矢視図、図５Ｃは図４のVＣ−VＣ線断面図である。図５Ｂにおいて、交差線Ｃを一点鎖線で示している。
【００３８】
注入針２は、内部に第１流路２１及び第２流路２２を有している。注入針２としては、例えば、延伸方向に延びる複数の孔がチューブ内部に形成されたマルチルーメンチューブを用いることができる。このマルチルーメンチューブは、例えば押出し成形等によって成形される。
【００３９】
第１流路２１は、刺針３（図１Ｂ、図２Ａ及び図２Ｂ、ならびに図３Ａ参照）を案内すると共に、刺針３の抜去後に流体の流路となる。第１流路２１は、注入針２の中央を延伸方向に貫通している。ポンプ１２（図１Ａ及び図１Ｂ参照）によって注入針２に送られてきた流体は、注入針２の台座１１２側の一端から他端（生体を穿刺する先端）に向かって第１流路２１内を流れて生体内に注入される。
【００４０】
図５Ｂ及び図５Ｃに示すように、第１流路２１の断面は、刺針３の断面形状に対応した円形状である。生体に穿刺する前においては、刺針３は、外周面が第１流路２１の内壁２１ａと接触し、第１流路２１内に保持されている。
【００４１】
第２流路２２は、刺針３の抜去後に第１流路２１と共に流体の流路となる。第２流路２２は、第１流路２１に沿って第１流路２１と連通している。これにより、注入針２の延伸方向全体に亘って、第１流路２１を流れる流体が第２流路２２へ流れ込むことができる。
【００４２】
本実施形態では、図５Ｂに示すように、注入針２の断面において、第１流路２１の外側に４つの第２流路２２が等間隔に９０°ずつずれて配置されている。また、第２流路２２は、第１流路２１の延伸方向に対して交差する交差線Ｃの両側に２つの第２流路２２がそれぞれ配置されている。「交差線Ｃ」とは、より具体的には、第１流路２１の中心Ｍを通り延伸方向に対して交差する線、すなわち第１流路２１の中心線に対して交差する線をいう。以下、交差線Ｃの一側に配置された２つの第２流路２２を「第２流路２２ａ」とし、他側に配置された２つの第２流路２２を「第２流路２２ｂ」とする。
【００４３】
本実施形態では、第２流路２２は、スリット２２１及び補助流路２２２を有している。スリット２２１は、注入針２の延伸方向に亘って第１流路２１と補助流路２２２とをつなぐと共に、流体が流れる流路の一部となる。スリット２２１は、断面が略矩形状であり、第１流路２１に沿って第１流路２１と連通している。
【００４４】
補助流路２２２は、スリット２２１と共に流体が流れる流路の一部となる。補助流路２２２は、断面が円形状であり、延伸方向に沿ってスリット２２１と連通している。すなわち、補助流路２２２は、スリット２２１を介して第１流路２１と連通している。これにより、注入針２は、第１流路２１の他にスリット２２１及び補助流路２２２を有することによって、流体が流れる流路をより確保できる。
【００４５】
図５Ｂに示すように、補助流路２２２は、流路幅Ｗ２が第１流路２１の流路幅Ｗ１よりも小さく形成されている（Ｗ２＜Ｗ１）。また、補助流路２２２の流路幅Ｗ２とスリット２２１の流路幅Ｗ３を比較すると、スリット２２１の流路幅Ｗ３の方が補助流路２２２の流路幅Ｗ２よりも狭く形成されている（Ｗ３＜Ｗ２）。したがって、第１流路２１、スリット２２１、及び補助流路２２２の流路幅の関係は、第１流路２１、補助流路２２２、スリット２２１の順で狭くなっている（Ｗ３＜Ｗ２＜Ｗ１）。なお、第１流路２１、スリット２２１、及び補助流路２２２の断面積の関係についても、流路幅の関係と同様、第１流路２１、補助流路２２２、スリット２２１の順で小さくなっている。
【００４６】
注入針２は、補助流路２２２よりも幅の狭いスリット２２１が第１流路２１と連通していることにより、第１流路２１において刺針３が接触する内壁２１ａの面積をより広く確保することができ、刺針３を安定して保持することが可能である。
【００４７】
図４及び図５Ａに示すように、本実施形態では、注入針２は、一定の外径寸法で延伸する基部２ａと、生体を穿刺する先端に向かうに連れて外径寸法が基部２ａの外径寸法よりも小さくなっている先細り部２ｂとを有している。なお、本実施形態では、先細り部２ｂは、外径寸法が小さくなる割合（テーパ）が途中で変化しているが、これに限らず、例えば一定のテーパで連続して外径寸法が小さくなっていてもよい。また、注入針２は、基部２ａと先細り部２ｂとの組み合わせによって構成されていなくともよく、例えば生体を穿刺する先端に向かって外径寸法が連続して緩やかに小さくなるようなものであってもよい。
【００４８】
さらに、注入針２は、必ずしも外径寸法が小さくなっている部分を有している必要はなく、延伸方向全体に亘って外径寸法が一定であってもよい。この点については、後述する第４実施形態において一構成例を説明することとする。ただし、注入針２は、生体を穿刺する先端に先細り部２ｂを有していた方が望ましい。先細り部２ｂを有することによって生体に注入針２を穿刺する際に皮膚との間の抵抗が少なくなり、注入針２を生体内に挿入しやすくなり穿刺時の痛みを軽減することが可能となるからである。
【００４９】
図５Ａに示すように、先細り部２ｂは、第２流路２２を有さず、第１流路２１のみを有している。これにより、先細り部２ｂにおける厚みを確保することができるため、注入針２を生体に穿刺する際に先端がめくれてしまうという問題を抑制することができる。なお、必ずしも先細り部２ｂは第２流路２２を有していない構成である必要はない。この点については、後述する変形例において一構成例を説明することとする。
【００５０】
＜注入針２の折れ曲がり時の状態について＞
次に、生体内における注入針２の折れ曲がり時の状態について、図６を参照して説明する。
【００５１】
図６は、生体内において注入針２が交差線Ｃで折れ曲がった時の状態を示す説明図である。
【００５２】
生体内で注入針２が折れ曲がった場合、第１流路２１が潰れて詰まりが発生してしまう。また、注入針２の折れ曲がった箇所において前述した凝集塊が生じた場合には、第１流路２１がさらに詰まるおそれがある。
【００５３】
しかしながら、注入針２は第２流路２２を有しているため、第１流路２１内を流れていた流体は第２流路２２へ流れ込むことができる。本実施形態では、第１流路２１内を流れていた流体は、スリット２２１及び補助流路２２２へ流れ込む。前述したようにスリット２２１及び補助流路２２２が流路の一部となるため、第１流路２１に詰まりが生じた場合でも、流体を生体内に円滑に注入することが可能となる。
【００５４】
図６に示すように、例えば図５Ｂに示した交差線Ｃで注入針２が折れ曲がった場合、すなわち、交差線Ｃが折れ曲がり線となった場合、折れ曲がり線よりも内側に配置された第２流路２２ａ及び第１流路２１は潰れて流路が塞がれてしまう。しかしながら、折れ曲がり線の外側に第２流路２２ｂが配置されているため、流体は折れ曲がり線の外側に配置された第２流路２２ｂに流れ込むことができる。なお、図６では、交差線Ｃの一側に配置された２つの第２流路２２ａのうち１つの第２流路２２ａのみを、交差線Ｃの他側に配置された２つの第２流路２２ｂのうち１つの第２流路２２ｂのみを、それぞれ示している。
【００５５】
注入針２の折れ曲がり線となる交差線Ｃよりも外側に第２流路２２が配置されていることにより、折れ曲がり線の位置によっては第２流路２２が全て潰れてしまうといった事態が生じないため、流体を生体内により円滑に注入することができる。さらに、第２流路２２が１８０°未満の角度（本実施形態では９０°）でずれて配置されているため、交差線Ｃ（折れ曲がり線）の両側に第２流路２２を配置させることが可能となっている。
【００５６】
＜変形例＞
次に、本発明の変形例に係る注入針２Ａの構成について、図７を参照して説明する。
【００５７】
図７は、変形例に係る注入針２Ａの延伸方向断面図である。図７において、第１実施形態に係る注入針２について説明したものと共通する構成要素については、同一の符号を付してその説明を省略する。以下、第２、第３、及び第４実施形態についても同様とする。
【００５８】
本変形例に係る注入針２Ａは、第１実施形態に係る注入針２と同様に、内部に第１流路２１及び第２流路２３を有しており、基部２ａ及び先細り部２ｂで構成されている。ただし、第２流路２３の構成が第１実施形態に係る注入針２の第２流路２２の構成と異なる。具体的には、第２流路２３は、先細り部２ｂにおいてスリット２２３が先端側（基部２ａとは反対側）に向かうに連れて深さが次第に浅くなっており、先細り部２ｂの当該先端側ではスリット２２３を有していない。
【００５９】
この場合においても、先細り部２ｂの先端側において厚みを確保することができるため、注入針２Ａを生体に穿刺する際に先端がめくれてしまうという問題を抑制することができるが、第１実施形態に係る注入針２では、先細り部２ｂ全体において厚みを確保することができるため、注入針２を生体に穿刺する際の衝撃によって先端がめくれてしまうという問題を本変形例の場合と比べてより抑制することが可能となっている。
【００６０】
なお、本変形例では、先細り部２ｂにおいて、先端側に向かうに連れてスリット２２３の深さを浅くしているが、これに限らず、例えば補助流路２２２の流路幅が小さくなっていてもよい。つまり、先細り部２ｂにおいて、先端側に向かうに連れて第２流路２３の流路幅が小さくなっていればよい。
【００６１】
＝＝＝第２実施形態＝＝＝
次に、本発明の第２実施形態に係る注入針２Ｂの構成について、図８Ａ及び図８Ｂを参照して説明する。なお、本実施形態に係る注入針２Ｂは、第１実施形態に係る流体注入装置１や注入針ユニット１１に適用することが可能である。
【００６２】
図８Ａ及び図８Ｂは、本発明の第２実施形態に係る注入針２Ｂの構成例を示し、図８Ａは斜視図、図８Ｂは図８ＡのVIIIＢ矢視図である。
【００６３】
本実施形態に係る注入針２Ｂは、第２流路の構成が第１実施形態に係る注入針２の第２流路２２の構成と異なる。具体的には、注入針２Ｂの第２流路は、第１流路２１に沿って第１流路２１と連通しているスリット２２１のみで構成されている。すなわち、注入針２Ｂでは、補助流路を有していない。本実施形態では、図８Ｂに示すように、注入針２Ｂの断面において４つのスリット２２１が第１流路２１の外側に等間隔に配置されている。
【００６４】
この場合においても、スリット２２１が流体の流路の一部となるため、生体内における注入針２Ｂの折れ曲がり等により第１流路２１に詰まりが発生しても、第１流路２１内を流れていた流体はスリット２２１内に流れ込むことができ、流体を生体内に円滑に注入することができる。また、スリット２２１は幅が狭く、第１流路２１において刺針３が接触する内壁２１ａの面積を広く確保することができるため、第１流路２１にて刺針３を安定して保持することが可能となる。
【００６５】
＝＝＝第３実施形態＝＝＝
次に、本発明の第３実施形態に係る注入針２Ｃの構成について、図９Ａ及び図９Ｂを参照して説明する。なお、本実施形態に係る注入針２Ｃについても、第２実施形態に係る注入針２Ｂと同様に、第１実施形態に係る流体注入装置１や注入針ユニット１１に適用することが可能である。
【００６６】
図９Ａ及び図９Ｂは、本発明の第３実施形態に係る注入針２Ｃの構成例を示し、図９Ａは斜視図、図９Ｂは図９ＡのIXＢ矢視図である。
【００６７】
本実施形態に係る注入針２Ｃは、第２流路の構成が第１実施形態に係る注入針２の第２流路２２の構成、及び第２実施形態に係る注入針２Ａの第２流路の構成と異なる。具体的には、注入針２Ｃの第２流路は、第１流路２１に沿って第１流路２１と連通している補助流路２２４のみで構成されている。すなわち、注入針２Ｃでは、スリットを有していない。本実施形態では、図９Ｂに示すように、補助流路２２４は、断面が略三角形状である。また、注入針２Ｃの断面において、４つの補助流路２２４が第１流路２１の外側に等間隔に配置されている。なお、図９Ｂでは、第１流路２１と補助流路２２４との境界を二点鎖線で示している。
【００６８】
この場合においても、補助流路２２４が流体の流路の一部となるため、生体内における注入針２Ｂの折れ曲がり等により第１流路２１に詰まりが発生しても、第１流路２１内を流れていた流体は補助流路２２４に流れ込むことができ、流体を生体内に円滑に注入することができる。
【００６９】
＝＝＝第４実施形態＝＝＝
次に、本発明の第４実施形態に係る注入針２Ｄの構成について、図１０Ａ及び図１０Ｂを参照して説明する。なお、本実施形態に係る注入針２Ｄについても、第２実施形態に係る注入針２Ｂや第３実施形態に係る注入針２Ｃと同様に、第１実施形態に係る流体注入装置１や注入針ユニット１１にも適用することが可能である。
【００７０】
図１０Ａは本発明の第４実施形態に係る注入針ユニットの先端側拡大図、図１０Ｂは図１０ＡのXＢ−XＢ線断面図である。
【００７１】
本実施形態に係る注入針２Ｄは、第１実施形態に係る注入針２、変形例に係る注入針２Ａ、第２実施形態に係る注入針２Ｂ、及び第３実施形態に係る注入針２Ｃの構成と異なり、先細り部２ｂを有していない。すなわち、注入針２Ｄは、延伸方向の一端（台座１１２側）から他端（生体を穿刺する側）に亘って外径寸法が一定に形成されている。
【００７２】
注入針２Ｄは、第１実施形態に係る注入針２と同様に、第１流路２１及び第２流路２２を内部に有している。スリット２２１及び補助流路２２２を有する第２流路２２は、注入針２Ｄの延伸方向の一端から他端に亘って形成されている。すなわち、注入針２Ｄは、生体を穿刺する先端側においても第２流路２２（スリット２２１及び補助流路２２２）を有している。なお、注入針２Ｄの第２流路２２についても、第２実施形態に係る注入針２Ｂと同様にスリット２２１のみで構成されていてもよいし、第３実施形態に係る注入針２Ｃと同様に補助流路２２２のみで構成されていてもよい。
【００７３】
図１０Ａに示すように、刺針３３は、第１実施形態で説明した刺針３の構成と異なり、延伸方向に延びて形成された穴を内部に有さない中実の針である。注入針２Ｄ及び刺針３３を生体に穿刺した際、刺針３３は第１流路２１内に保持されているため、図１０Ｂに示すように、第１流路２１は刺針３３によって塞がれた状態となり、刺針３３を抜去した際には第１流路２１内には流体が存在しないこととなる。よって、もし仮に注入針２Ｄが第２流路２２を有していない場合には、使用者は流体が生体内に出てくることを確認することができないといった問題や、刺針３３を抜去した際に迅速に流体を注入することが困難であるといった問題が生じる。
【００７４】
しかしながら、本実施形態では、注入針２Ｄは、生体を穿刺する先端まで第２流路２２を有しているため、流体は第２流路２２を介して生体内まで流動することが可能となり、刺針３３を抜去した際には第２流路２２内に液体が存在することとなる。したがって、中実の刺針３３を用いた場合であっても、使用者は流体が生体内に出てくることを確認することができると共に（図１０Ａ参照）、刺針３３を抜去した際に迅速に流体を注入することが可能となる。また、刺針３３は中実であるため、中空の刺針と比べて、生体に穿刺する際の痛みを軽減することができ、刺針３３の強度が強く注入針２及び刺針３３を細く成形することが可能である。さらに、中実の刺針３３は、中空の刺針よりも安価に製造できるため、コスト削減にもつながる。
【００７５】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００７６】
１…流体注入装置
２，２Ａ，２Ｂ，２Ｃ，２Ｄ…注入針
２ａ…先細り部
３，３３…刺針
１１…注入針ユニット
１２…ポンプ
２１…第１流路
２２，２３…第２流路
２２１，２２１ａ，２２１ｂ，２２３…スリット
２２２，２２２ａ，２２２ｂ，２２４…補助流路
Ｃ…交差線
【図１】
2016198414.tif 000003
【図２】
2016198414.tif 000004
【図３】
2016198414.tif 000005
【図４】
2016198414.tif 000006
【図５】
2016198414.tif 000007
【図６】
2016198414.tif 000008
【図７】
2016198414.tif 000009
【図８】
2016198414.tif 000010
【図９】
2016198414.tif 000011
【図１０】
2016198414.tif 000012